(57)【要約】【課題】ズームカメラで光路を一方向から多方向に屈折可能に複数のレンズ群を配置すると共に、ズーム機能及び焦点調整機能のための駆動装置の設置空間を確保することによって、製品の小型化及び薄型化が図られるズームカメラの光学装置を提供する。【解決手段】ベース部材と、ベース部材内に被写体から反射されて入射される光を第１方向に屈折させる第１のレンズ群と、第１のレンズ群によって屈折された光路方向に沿って配置され、光路方向に摺動してズーム機能を行う第２のレンズ群と、第２のレンズ群の光を第２方向に屈折させる第３のレンズ群と、第３のレンズ群によって屈折された光路方向に沿って配置され、光路方向に摺動してズーム機能を行い、それによって発生する像平面変動分を補償しつつ焦点調整機能を行う第４のレンズ群と、ベース部材内の所定位置に備えられ、第２及び第４のレンズ群を摺動可能とする動力を伝達する動力伝達手段と、を含んで構成されることを特徴とするズームカメラの光学装置を提供する。【選択図】 図３
2006119584.tif 000002
【特許請求の範囲】
【請求項１】
ズームカメラモジュールであって、 
ベース部材と、
前記ベース部材内に設けられ、被写体から反射されて入射される光を第１方向に屈折させる第１のレンズ群と、
前記第１のレンズ群によって屈折された光路方向に沿って配置され、前記光路方向に摺動してズーム機能を行う第２のレンズ群と、
前記第２のレンズ群の光を第２方向に屈折させる第３のレンズ群と、
前記第３のレンズ群によって屈折された光路方向に沿って配置され、前記光路方向に摺動してズーム機能を行い、それによって発生する像平面変動分を補償しつつ焦点調整機能を行う第４のレンズ群と、
前記ベース部材内の所定位置に備えられ、前記第２及び第４のレンズ群を摺動可能とする動力を伝達する動力伝達手段と、
を含んで構成されることを特徴とするズームカメラの光学装置。 
【請求項２】
前記第１及び第３のレンズ群は、ミラー又はプリズムからなることを特徴とする請求項１記載のズームカメラの光学装置。
【請求項３】
前記第１、第２、第３、第４のレンズ群は、前記ベース部材内で前記屈折される光路方向に沿って順次設けられていることを特徴とする請求項１記載のズームカメラの光学装置。 
【請求項４】
前記ベース部材内に、前記動力伝達手段のための収容空間が形成されていることを特徴とする請求項１記載のズームカメラの光学装置。 
【請求項５】
前記第１及び第３のレンズ群の光屈折角度が９０度であることを特徴とする請求項１記載のズームカメラの光学装置。 
【請求項６】
前記動力伝達手段が、
前記第２のレンズ群に設けられた第１のギア部と噛み合って、該第１のギア部に、前記第２のレンズ群を前記光路方向に沿って摺動させるための駆動力を付与する第１の駆動モータと、 
前記第１の駆動モータに隣接して備えられ、前記第４のレンズ群に設けられた第２のギア部と噛み合って、該第２のギア部に、前記第４のレンズ群を前記光路方向に沿って摺動させるための駆動力を付与する第２の駆動モータと、
を備えることを特徴とする請求項１記載のズームカメラの光学装置。 
【請求項７】
前記第１のギア部は、前記第１の駆動モータに備えられるモータ側ギア部と噛み合って前記駆動モータの駆動によって前記第１方向に直線移動し、 
前記第２のギア部は、前記第２の駆動モータに備えられるモータ側ギア部と噛み合って前記駆動モータの駆動によって前記第２方向に直線移動すること、を特徴とする請求項６記載のズームカメラの光学装置。 
【請求項８】
前記ベース部材内に、前記第２及び第４のレンズ群を前記光路方向に沿って移動可能にガイドする第１及び第２のガイド手段が設けられていることを特徴とする請求項１記載のズームカメラの光学装置。 
【請求項９】
前記第１のガイド手段は、
前記ベース部材内に備えられる一対の第１のガイドレールと、 
前記第２のレンズ群の両側に備えられ、前記第１のガイドレールと摺動可能に結合され、前記第２のレンズ群を前記光路方向に摺動可能にガイドする第１のガイド部と、
から構成されることを特徴とする請求項８記載のズームカメラの光学装置。 
【請求項１０】
前記第２のガイド手段は、
前記ベース部材内に備えられる一対の第２のガイドレールと、 
前記第４のレンズ群の両側に備えられて前記第２のガイドレールと摺動可能に結合され、前記第４のレンズ群を前記光路方向に摺動可能にガイドする第２のガイド部と、
から構成されることを特徴とする請求項８記載のズームカメラの光学装置。 
【請求項１１】
ズームカメラモジュールであって、 
ベース部材と、
前記ベース部材内に設けられ、被写体から反射されて入射される光を第１方向に屈折させる第１のレンズ群と、
前記第１のレンズ群によって屈折された光路方向に沿って配置されて前記光路方向に摺動してズーム機能を行う第２のレンズ群と、 
前記第２のレンズ群の光を第２方向に屈折させる第３のレンズ群と、 
前記第１、第２、第３のレンズ群を実装し、前記ベース部材の上端面で前記第２方向に摺動すると共に前記第２のレンズ群を前記第１方向に摺動させるズーム移動カムと、
前記ズーム移動カムを前記第２方向に摺動可能とする駆動力を付与する第１の駆動モータと、
前記第３のレンズ群によって屈折された光路方向に沿って配置され、前記光路方向に摺動してズーム機能を行い、それによって発生する像平面変動分を補償しつつ焦点調整機能を行う第４のレンズ群と、
前記レンズハウジング内の所定位置に備えられ、前記第４のレンズ群を前記光路方向に摺動可能とする駆動力を付与する第２の駆動モータと、
から構成されることを特徴とするズームカメラの光学装置。 
【請求項１２】
前記第１及び第３のレンズ群は、ミラー又はプリズムからなることを特徴とする請求項１１記載のズームカメラの光学装置。 
【請求項１３】
前記ベース部材内に、前記第１及び第２の駆動モータのための収容空間が形成されていることを特徴とする請求項１１記載のズームカメラの光学装置。 
【請求項１４】
前記第１及び第３のレンズ群の光屈折角度が９０度であることを特徴とする請求項１１記載のズームカメラの光学装置。 
【請求項１５】
前記ズーム移動カムの一端には、前記第１の駆動モータに備えられたモータ側ギア部と噛み合い、前記駆動モータの駆動の際に前記ギア部の駆動によって直線移動される第１のギア部が備えられ、 
前記第４のレンズ群には、前記第２の駆動モータに備えられたモータ側ギア部と噛み合い、前記駆動モータの駆動の際に前記ギア部の駆動によって直線移動される第２のギア部が備えられること、
を特徴とする請求項１１記載のズームカメラの光学装置。 
【請求項１６】
前記ズーム移動カムには、前記第２のレンズ群に形成されたガイド突起に嵌合されるカムホールが形成され、前記ベース部材には、前記カムホールに対応する位置に、前記カムホールから突出された前記ガイド突起と嵌合されるガイドホールが形成されており、前記ズーム移動カムが前記第２方向に移動する際に、前記ガイド突起が前記カムホールに沿って移動すると共に、前記第２のレンズ群は前記ガイドホールにより、前記第１方向に摺動可能にガイドされることを特徴とする請求項１１記載のズームカメラの光学装置。 
【請求項１７】
前記カムホールは、前記ガイド突起を直線移動可能に前記第１方向の長さ方向に延在して形成され、前記ガイドホールは対角線方向に延在して形成されていることを特徴とする請求項１６記載のズームカメラの光学装置。 
【請求項１８】
前記ズーム移動カムには、前記第２のレンズ群を前記光路方向に摺動可能にガイドする第１のガイド手段が構成されることを特徴とする請求項１１記載のズームカメラの光学装置。 
【請求項１９】
前記第１のガイド手段は、
前記ズーム移動カム内に備えられる一対の第１のガイドレールと、 
前記第２のレンズ群の両側に備えられ、前記第１のガイドレールと摺動可能に結合され、前記第２のレンズ群を前記光路方向に摺動可能にガイドする第１のガイド部と、
から構成されることを特徴とする請求項１８記載のズームカメラの光学装置。 
【請求項２０】
前記ベース部材には、前記第４のレンズ群を前記光路方向に摺動可能にガイドする第２のガイド手段が構成されることを特徴とする請求項１１記載のズームカメラの光学装置。 
【請求項２１】
前記第２のガイド手段は、
前記ベース部材内に備えられる一対の第２のガイドレールと、 
前記第４のレンズ群の両側に備えられて前記第２のガイドレールと摺動可能に結合され、前記第４のレンズ群を前記光路方向に摺動可能にガイドする第２のガイド部と、
から構成されることを特徴とする請求項２０記載のズームカメラの光学装置。 
【請求項２２】
ズームカメラモジュールであって、
ベース部材と、 
前記ベース部材内に設けられ、被写体から反射されて入射される光を多方向に屈折可能に順次に配置させ、屈折された光路方向に沿って摺動してズーム機能を行い、或いは、ズーム機能によって焦点調整機能を行う少なくとも一つ以上のレンズ群と、
前記レンズ群に隣接して配置され、前記レンズ群を摺動可能とする動力を伝達する動力伝達手段と、
から構成されることを特徴とするズームカメラの光学装置。 
【発明の詳細な説明】
【技術分野】
【０００１】
本発明はズームカメラの光学装置に関して、特に、ズームカメラで光路を多方向に屈折させるように複数のレンズ群を構成するズームカメラの光学装置に関するものである。
【背景技術】
【０００２】
通常、カメラは写真撮影のための光学機器として写真機とも呼ばれ、一般的な写真だけでなく、報道写真、商業写真、建築写真、顕微鏡写真、航空写真、天体写真は、医学、工業、学術のような広範囲な分野にわたって使用される。
【０００３】
このようなカメラは、フィルムを使用する一般のカメラとフィルムを必要としない最近のデジタルカメラとに区分される。 
【０００４】
一般のカメラモジュールは、光を受信してフィルムに像を形成する装置であって、被写体から反射される光を受けてフィルムの表面にフォーカスを行うレンズ群と、このレンズ群を通じて受信される光の量を調節する絞りと、フィルムに形成された被写体の像が鮮明になるようにレンズとフィルム面との間の距離を調節する焦点調整装置と、フィルムを一定の間隔で移送するフィルム移送装置と、フィルムが光に露出される時間を調節するシャッターアセンブリーと、から構成される。
【０００５】
このデジタルカメラの構成は、一般のカメラモジュールと類似している。しかしながら、デジタルカメラは、撮影した映像をフィルムの代わりに内部記憶装置(ハードディスク又はメモリカード)に格納可能であり、外部コンピュータにデジタルイメージを入力することができる。
【０００６】
ここで、それぞれのカメラで一番重要な部分はレンズである。簡単なカメラの場合に、凸メニスカスレンズ(ｃｏｎｖｅｘ  ｍｅｎｉｓｃｕｓ  ｌｅｎｓ)又はプラスチックレンズを使用する。しかしながら、ほとんどのカメラは２枚又は３枚以上のレンズで構成されるレンズ群を備える。また、カメラに構成されるレンズ群を用いて、レンズの焦点距離の倍率を可変させるズーム機能が遂行される。
【０００７】
ズームレンズは、正、負の２群タイプと、正、正、負又は負、正、負の３群タイプが代表的な構成として知られている。
【０００８】
２群タイプのズームレンズは、両レンズ群間の間隔を調整してズーム機能を遂行するもので、このような２群タイプはズーム駆動を遂行可能に最小限の部品で構成されているため、鏡筒及び駆動装置が簡素化される。 
【０００９】
ズームの際に、必須的に伴われる各部品群の移動量が増加することにより、収差変動も一層増加するようになる。このため従来、２群タイプのズームレンズは高倍率には適合しないものと知られている。
【００１０】
また、３群タイプのズームレンズは、ズームの際に伴われる各レンズ群の移動量を制限し、収差の変動を良好に補正することができる。したがって、この３群タイプのズームレンズは高倍率化に適合するものである。しかしながら、レンズ群の枚数が増加するという問題点により、鏡筒と駆動装置が複雑化し、サイズ的に大きなものとなる。それにより、最終製品のサイズが大きくなって小型化及び薄形化を阻害するという短所があった。
【００１１】
また、図１及び図２に示すように、２群又は３群タイプのレンズ群１は、通常、プリズム２又はミラー３を用いて光４の経路を９０度変更するので、光は一方向に進んでイメージセンサー５に結像される。このようなズーム方式をインナーフォーカス(ｉｎｎｅｒ  ｆｏｃｕｓ)方式と呼ばれる。
【００１２】
このような方式は、光路を一方向に進行させるためにそれぞれのタイプのレンズ群を一列に配列させ、この状態で駆動装置によってレンズを移動させる構成なので、駆動装置を設けるのに困難さがあった。また、このズーム方式でカメラモジュールの小型化がある程度は可能であるが、駆動装置が非常に大きいという短所があった。加えて、レンズ群の駆動のための駆動装置の空間が追加的に必要なので、携帯端末機及び小型カメラに装着することが難しいという短所もあった。 
【発明の開示】
【発明が解決しようとする課題】
【００１３】
したがって、上記のような従来の問題点を解決するために、本発明の目的は、ズームカメラで光路を一方向から多方向に屈折可能に複数のレンズ群を配置すると共に、ズーム機能及び焦点調整機能のための駆動装置の設置空間を確保することによって、製品の小型化及び薄型化が図られるズームカメラの光学装置を提供することにある。
【００１４】
また、本発明の他の目的は、ズームカメラで光路を一方向から多方向に屈折可能に複数のレンズ群を配置し、且つ、ズーム機能及び焦点調整機能のための駆動装置の設置空間を確保して組み立て工程を容易にし、ズームカメラの機能を向上させることができるズームカメラ光路屈折装置を提供することにある。
【課題を解決するための手段】
【００１５】
上記の目的を達成するために、本発明の第１の実施形態は、ズームカメラモジュールであって、ベース部材と、前記ベース部材内に設けられ、被写体から反射されて入射される光を第１方向に屈折させる第１のレンズ群と、前記第１のレンズ群によって屈折された光路方向に沿って配置され、前記光路方向に摺動してズーム機能を行う第２のレンズ群と、前記第２のレンズ群の光を第２方向に屈折させる第３のレンズ群と、前記第３のレンズ群によって屈折された光路方向に沿って配置され、前記光路方向に摺動してズーム機能を行い、それによって発生する像平面変動分を補償しつつ焦点調整機能を行う第４のレンズ群と、前記ベース部材内の所定位置に備えられ、前記第２及び第４のレンズ群を摺動可能とする動力を伝達する動力伝達手段と、を含んで構成されることを特徴とするズームカメラの光学装置を提供する。
【００１６】
また、本発明の第２の実施形態は、ズームカメラモジュールであって、ベース部材と、前記ベース部材内に設けられ、被写体から反射されて入射される光を第１方向に屈折させる第１のレンズ群と、前記第１のレンズ群によって屈折された光路方向に沿って配置されて前記光路方向に摺動してズーム機能を行う第２のレンズ群と、前記第２のレンズ群の光を第２方向に屈折させる第３のレンズ群と、前記第１、第２、第３のレンズ群を実装し、前記ベース部材の上端面で前記第２方向に摺動すると共に前記第２のレンズ群を前記第１方向に摺動させるズーム移動カムと、前記ズーム移動カムを前記第２方向に摺動可能とする駆動力を付与する第１の駆動モータと、前記第３のレンズ群によって屈折された光路方向に沿って配置され、前記光路方向に摺動してズーム機能を行い、それによって発生する像平面変動分を補償しつつ焦点調整機能を行う第４のレンズ群と、前記レンズハウジング内の所定位置に備えられ、前記第４のレンズ群を前記光路方向に摺動可能とする駆動力を付与する第２の駆動モータと、から構成されることを特徴とするズームカメラの光学装置を提供する。 
【発明の効果】
【００１７】
本発明は、ズームカメラで光路を一方向から多方向に屈折可能に複数のレンズ群を配置することで、レンズ群を駆動させる駆動装置の設置空間を確保し、それにより、製品の小型化及び薄型化を図るだけでなく、カメラのズーム機能及び焦点調整機能を向上させ、部品の組み立て工程を簡便化することができる効果がある。
【発明を実施するための最良の形態】
【００１８】
以下、本発明の望ましい実施形態を添付の図面を参照して詳細に説明する。
【００１９】
図３及び図４に示すように、ズームカメラの光学装置１０は、ベース部材２０と、第１〜第４のレンズ群３０，４０，５０，６０と、動力伝達手段７０とから構成され、ベース部材２０は、第１〜第４のレンズ群３０，４０，５０，６０及び動力伝達手段７０を備えるようになっている。第１のレンズ群３０は、被写体から反射されて入射される光４を直交方向に屈折させるようにベース部材２０内に取り付けられる。第２のレンズ群４０は、光４の経路方向に摺動してズーム機能を行うように第１及び第３のレンズ３０、５０の間に配置され、第１のレンズ群３０から屈折された光４の経路方向に配置される。第３のレンズ群５０は、第２のレンズ群４０の光４を直交方向に屈折させるように第２のレンズ群４０に隣接して配置される。そして、第４のレンズ群６０は、光４の経路方向に摺動してズーム機能を行い、それによって発生する像平面変動分を補償しつつ自動的に焦点調整機能を行うように第３のレンズ群５０から屈折された光４の経路方向に沿ってこの第３のレンズ群５０に隣接して配置される。動力伝達手段７０は、第２及び第４のレンズ群４０、６０の摺動のために動力を伝達可能とするようにベース部材２０内の所定位置に備えられる。 
【００２０】
図５及び図６に示すように、第１及び第３のレンズ群３０、５０は光４を屈折させうるようにミラー(ｍｉｒｒｏｒ)又はプリズム(ｐｒｉｓｍ)で構成される。 
【００２１】
図５に示すように、第１〜第４のレンズ群３０，４０，５０，６０は、ベース部材２０から屈折される光４の経路方向に沿って順次に備えられる。また、ベース部材２０内には動力伝達手段７０のための収容空間が提供され、第１及び第３のレンズ群３０、５０の光４の経路の屈折角度は９０度となる。 
【００２２】
図５に示すように、動力伝達手段７０は、第１及び第２の駆動モータ７１、７２で構成され、第１の駆動モータ７１は、第２のレンズ群４０に設けられた第１のギア部４１と噛み合ってベース部材２０内の所定位置に備えられる。このとき、第１の駆動モータ７１は、第２のレンズ群４０を摺動可能とする駆動力を付与する。第２の駆動モータ７２は、第４のレンズ群６０に設けられた第２のギア部６１と噛み合ってベース部材２０内の所定位置に備えられる。このとき、第２の駆動モータ７２は、第４のレンズ群６０を摺動可能とする駆動力を付与する。
【００２３】
図５に示すように、第１のギア部４１は、第１の駆動モータ７１に設けられた第１のモータ側ギア部７１ａと噛み合って第１の駆動モータ７１の駆動によって垂直方向に直線移動される。そして、第２のギア部６１は、第２の駆動モータ７２に設けられた第２のモータ側ギア部７２ａと噛み合って第２の駆動モータ７２の駆動によって水平方向に直線移動される。 
【００２４】
また、図３及び図５に示すように、第１及び第２のガイド手段８０、９０は、ベース部材２０内で第２及び第４のレンズ群４０、６０を光４の経路方向に移動可能にガイドするように構成されている。第１のガイド手段８０は、一対の第１のガイドレール８１，８１と第１のガイド部８２、８２とからなる。このとき、第１のガイドレール８１，８１は、第１のガイド部８２，８２と摺動可能に結合するようにベース部材２０内に設けられている。また、第１のガイド部８２，８２は、第１の駆動モータ７１の駆動によって第２のレンズ群４０を光４の経路方向に摺動可能にガイドするように第２のレンズ群４０の両側に備えられる。 
【００２５】
なお、図３及び図５に示すように、第２のガイド手段９０は、一対の第２のガイドレール９１，９１と第２のガイド部９２，９２とからなる。このとき、第２のガイドレール９１，９１は、第２のガイド部９２，９２と摺動可能に結合するようにベース部材２０内に設けられている。また、第２のガイド部９２，９２は、第２の駆動モータ７２の駆動によって第４のレンズ群６０を光４の経路方向に摺動可能にガイドするように第４のレンズ群６０の両側に備えられる。
【００２６】
次に、上記のような構成を有する本発明の好ましい第１の実施形態によるズームカメラの光学装置の動作過程について、添付の図３〜図６を参照してより詳細に説明する。 
【００２７】
図３及び図５に示すように、被写体から反射された入射される光４は、ベース部材２０内に備えられた第１のレンズ群３０によって直交方向に９０度屈折される。
【００２８】
このとき、第１のレンズ群３０によって屈折された光４の経路方向に沿って第１のレンズ群３０に隣接してズーム機能を行う第２のレンズ群４０が配置されており、この第２のレンズ群４０が、光４の経路方向に摺動してズーム機能を行う。
【００２９】
加えて、ベース部材２０の所定位置に、第２のレンズ群４０を光４の経路方向に沿って摺動可能とする駆動力を付与する第１の駆動モータ７１が備えられているため、第２のレンズ群４０はこの第１の駆動モータ７１の駆動によって摺動される。 
【００３０】
図５に示すように、第２のレンズ群４０に設けられた第１のギア部４１と第１の駆動モータ７１に備えられた第１のモータ側ギア部７１ａとが相互に噛み合っている。したがって、この状態で第１の駆動モータ７１が駆動されると、第１のモータ側ギア部７１ａが回転するに従って、第１のギア部４１は、第２のレンズ群４０を光４の経路方向である垂直方向に摺動させる。 
【００３１】
また、ベース部材２０内には、第２のレンズ群４０を光４の経路方向に摺動可能にガイドする第１のガイド手段８０が構成される。第１のガイド手段８０において、ベース部材２０内に備えられた一対の第１のガイドレール８１，８１に第２のレンズ群４０を摺動可能にガイドする第１のガイド部８２，８２が結合されているため、第２のレンズ群４０の第１のガイド部８２，８２が一対の第１のガイドレール８１，８１に沿って光４の経路方向にガイドされて摺動する。 
【００３２】
この状態で、図５に示すように、第２のレンズ群４０の光４は、第３のレンズ群５０によって直交方向に９０度屈折される。
【００３３】
ここで、図３〜図５に示すように、第１及び第３のレンズ群３０、５０には、光４を屈折させるためにプリズムが使用される。
【００３４】
第４のレンズ群６０は、第３のレンズ群５０によって屈折された光４の経路方向に沿って第３のレンズ群５０に隣接して配置される。この第４のレンズ群６０は、光４の経路方向に摺動してズーム機能を行い、このとき、ズーム機能によって発生される像平面変動分を補償器(ｃｏｍｐｅｎｓａｔｏｒ)(図示せず)によって補償しつつ自動に焦点調整機能を行う。このとき、図５に示すように、光４は、第４のレンズ群６０を通過し、イメージセンサー５に像が形成される。 
【００３５】
第４のレンズ群６０は、第１の駆動モータ７１に隣接して備えられた第２の駆動モータ７２によって光４の経路方向に沿って摺動する。
【００３６】
第２の駆動モータ７２は、複数のベベルギアを備え、このベベルギアに接続された第２のモータ側ギア部７２ａと噛み合う。第２の駆動モータ７２が駆動すると、それぞれのベベルギアが回転して第２のモータ側ギア部７２ａを駆動させ、それにより、第４のレンズ群６０に設けられた第２のギア部６１が直交方向に直線移動される。
【００３７】
このとき、第２のガイド手段９０は、第４のレンズ群６０を光４の経路方向である直交方向に摺動可能にガイドするようにベース部材２０内に構成される。
【００３８】
第２のガイド手段９０において、ベース部材２０内に備えられた一対の第２のガイドレール９１，９１に第４のレンズ群６０を摺動可能にガイドする第２のガイド部９２，９２が結合されているため、第４のレンズ群６０の第２のガイド部９２，９２は、一対の第２のガイドレール９１，９１に沿って光４の経路方向にガイドされて摺動する。
【００３９】
図６に示すように、第１及び第３のレンズ群３０、５０として、他の実施形態で光４を屈折させるためのミラーが使用される。
【００４０】
本発明の望ましい第２の実施形態によるズームカメラの光学装置の動作過程について、添付の図７〜図１１を参照してより詳細に説明すると、次のようである。
【００４１】
図７及び図８に示すように、ベース部材２０には、第１、第２、第４のレンズ群３０、４０、６０を実装したズーム移動カム１００が備えられる。
【００４２】
図９に示すように、被写体から反射されて入射される光４は、ズーム移動カム１００に備えられた第１のレンズ群３０によって垂直方向に９０度屈折される。
【００４３】
このとき、第２レンズ群４０は、第１のレンズ群３０によって屈折された光４の経路方向に沿って第１のレンズ群３０に隣接して配置されており、この第２のレンズ群４０は、光４の経路方向に摺動してズーム機能を行う。
【００４４】
図９及び図１０に示すように、第１の駆動モータ７１は、ズーム移動カム１００を水平方向に移動させると共に第２のレンズ群４０を光４の経路方向である垂直方向に摺動させるように、ベース部材２０の所定位置に備えられる。その結果、第２のレンズ群４０は、第１の駆動モータ７１の駆動によって摺動される。
【００４５】
第１のギア部１０１は、第１の駆動モータ７１に備えられた第１のモータ側ギア部７１ａと噛み合い、この第１の駆動モータ７１の駆動の際に、第１のモータ側ギア部７１ａによって駆動され、直線移動をするように、ズーム移動カム１００の一端に取り付けられる。したがって、第１の駆動モータ７１の第１のモータ側ギア部７１ａが駆動すると、第１のギア部１０１は、直線移動してズーム移動カム１００を同一方向に摺動させる。 
【００４６】
図１０及び図１１に示すように、ズーム移動カム１００には、垂直方向の長さ方向に延在するカムホール１０２が形成されており、第２のレンズ群４０の下部に形成されたガイド突起１０４は、このカムホール１０２に嵌合される。また、ベース部材２０には、カムホール１０２に対応する位置にガイドホール１０３が形成されており、カムホール１０２を通じて形成されたガイド突起１０４は、このガイドホール１０３にも嵌合される。
【００４７】
図１０に示すように、上記の状態でズーム移動カム１００が水平方向に移動すると、ガイド突起１０４は、カムホール１０２に沿って垂直方向にガイドされ、且つ、ガイドホール１０３は、第２のレンズ群４０を垂直方向に摺動可能にガイドする。このとき、第２のレンズ群４０は、垂直方向に摺動してズーム機能を行う。
【００４８】
図１０に示すように、カムホール１０２は、ガイド突起１０４を垂直方向の長さ方向に沿って直線移動するように形成されている。
【００４９】
ガイドホール１０３は、対角線方向に延在して形成され、第２のレンズ群４０のガイド突起１０４をガイドすると共に、ズーム移動カム１００の水平移動を垂直移動に変換して第２のレンズ群４０を垂直方向に摺動可能にする。
【００５０】
このとき、ズーム移動カム１００には、第２のレンズ群４０を光４の経路方向である垂直方向に摺動可能にガイドする第１のガイド手段８０が構成される。 
【００５１】
第１のガイド手段８０は、ズーム移動カム１００に設けられた一対の第１のガイドレール８１，８１を備えており、この第１のガイドレール８１，８１に第２のレンズ群４０を摺動可能にガイドする第１のガイド部８２，８２が結合される。したがって、第２のレンズ群４０の第１のガイド部８２，８２は、一対の第１のガイドレール８１，８１に沿って光４の経路方向である垂直方向にガイドされて摺動する。 
【００５２】
この状態で、図１０のように、第２のレンズ群４０の光４は、第３のレンズ群５０によって水平方向に９０度屈折される。ここで、第１及び第３のレンズ群３０、５０としては、光を屈折させるためのプリズム及びミラーが使用される。
【００５３】
第３のレンズ群５０に隣接する位置には、第４のレンズ群６０が、第３のレンズ群５０によって屈折された光４の経路方向に沿って配置される。
【００５４】
図１０に示すように、第４のレンズ群６０は、光４の経路方向に摺動してズーム機能を行い、このとき、ズーム機能によって生じる像平面変動分を補償器（図示せず）によって補償しつつ自動的に焦点調整機能を行う。 
【００５５】
光４は、第４のレンズ群６０を通過し、イメージセンサー５に像が形成される。
【００５６】
このとき、第４のレンズ群６０は、第１の駆動モータ７１に隣接して備えられた第２の駆動モータ７２によって光４の経路方向である水平方向に沿って摺動する。 
【００５７】
第２の駆動モータ７２は複数のベベルギアを備え、ベベルギアに備えられた第２のモータ側ギア部７２ａと噛み合う。第２の駆動モータ７２が駆動すると、それぞれのベベルギアが回転して第２のモータ側ギア部７２ａを駆動させ、それにより、第４のレンズ群６０に設けられた第２のギア部６１が、水平方向に直線移動される。
【００５８】
このとき、ベース部材２０内に、第４のレンズ群６０を光４の経路方向である水平方向に摺動可能にガイドする第２のガイド手段９０が構成される。 
【００５９】
第２のガイド手段９０は、ベース部材２０内に設けられた一対の第２のガイドレール９１，９１を備えており、この第２のガイドレール９１，９１に第４のレンズ群６０を摺動可能にガイドする第２のガイド部９２が結合されている。したがって、第２のガイド部９２，９２は、一対の第２のガイドレール９１，９１に沿って光４の経路方向である水平方向にガイドされて摺動する。 
【００６０】
以上、本発明のズームカメラの光学装置は、上述した実施形態及び図面によって限定されるものではなく、本発明の技術的思想を外れない範囲内で様々な変形及び変更が可能であることは、当該技術分野における通常の知識を有する者には明らかである。
【図面の簡単な説明】
【００６１】
【図１】従来のズームカメラでプリズムを使用する図である。
【図２】従来のズームカメラでミラーを使用する図である。
【図３】本発明の第１の実施形態によるズームカメラの光学装置の構成を示す分解斜視図である。
【図４】本発明の第１の実施形態によるズームカメラの光学装置の結合状態を示す斜視図である。
【図５】本発明の第１の実施形態によるズームカメラの光学装置において、レンズ群によってズーム機能を行い、プリズムを用いて多方向に光路を屈折させる様子を示す平面図である。
【図６】本発明の第１の実施形態によるズームカメラの光学装置において、レンズ群によってズーム機能を行い、ミラーを用いて多方向に光路を屈折させる様子を示す平面図である。
【図７】本発明の第２の実施形態によるズームカメラの光学装置の構成を示す分解斜視図である。
【図８】本発明の第２の実施形態によるズームカメラの光学装置の結合状態を示す斜視図である。
【図９】本発明の第２の実施形態によるズームカメラの光学装置の構成において、ズーム機能を行うズーム移動カムの作動前の状態を示す平面図である。
【図１０】本発明の第２の実施形態によるズームカメラの光学装置の構成において、ズーム機能を行うズーム移動カムの作動後の状態を示す平面図である。
【図１１】本発明の第２の実施形態によるズームカメラの光学装置の構成において、ズーム機能を行うズーム移動カムの結合状態を示す側断面図である。
【符号の説明】
【００６２】
１０  光学装置
２０  ベース部材
３０  第１のレンズ群
４０  第２のレンズ群
５０  第３のレンズ群
６０  第４のレンズ群
７０  動力伝達手段
８０  第１のガイド手段
９０  第２のガイド手段
１００  ズーム移動カム
１０２  カムホール
１０３  ガイドホール
１０４  ガイド突起
【図１】
2006119584.tif 000003
【図２】
2006119584.tif 000004
【図３】
2006119584.tif 000005
【図４】
2006119584.tif 000006
【図５】
2006119584.tif 000007
【図６】
2006119584.tif 000008
【図７】
2006119584.tif 000009
【図８】
2006119584.tif 000010
【図９】
2006119584.tif 000011
【図１０】
2006119584.tif 000012
【図１１】
2006119584.tif 000013